(57)【要約】本発明は、多重ワイヤーを線とするアンテナ線形成のためのワイヤー埋め込みヘッドに関するものであって、より詳細には、超音波発生部、及び、多重ワイヤー埋め立てホーンによってワイヤーが並列パターンで連結されたアンテナ線で基板に埋め立てられるようにするが、基板と、基板に埋め立てられる複数のワイヤーとの間の特徴的な結合関係を用いて、基板に埋め立てられる並列パターンで連結されたアンテナ線の配列が非常に密に形成されるようにする多重ワイヤーを線とするアンテナ線形成のためのワイヤー埋め込みヘッドに関するものである。【選択図】図４
2021505093.tif 000002
【特許請求の範囲】
【請求項１】
多重ワイヤーで構成されたアンテナ線形成のためのワイヤー埋め込みヘッド（１）において、
スプール（Ｓ）に巻き取られたワイヤー（Ｗ）が投入されて基板（Ｂ）に定められた特定位置にアンテナ線（ＡＷ）が形成されるようにワイヤー（Ｗ）を埋め込むヘッドハウジング（１００）；
前記ヘッドハウジング（１００）の一側に形成されて３０［ｋＨｚ］〜６０［ｋＨｚ］の振動を発生させてワイヤー（Ｗ）が基板（Ｂ）に定められた特定位置に埋め込まれてアンテナ線（ＡＷ）を形成するように、ワイヤー（Ｗ）の埋め込みの際、基板（Ｂ）の特定位置を溶融させる超音波発生部（１１０）；
並列パターンで連結されたアンテナ線（ＡＷ）が形成されるように、複数のワイヤー（Ｗ）が同時に吐出されて基板（Ｂ）に埋め込まれるようにする特定配列でなされた複数のワイヤー吐出口（１２１）が形成された多重ワイヤー埋め込みホーン（１２０）；を備え、
多重ワイヤー埋め込みホーン（１２０）にワイヤー吐出口（１２１）が２以上形成される時には、
第１のワイヤー吐出口（１２１ａ）を基準として第１のワイヤー吐出口（１２１ａ）の中心直線（ＣＬ１）と第２のワイヤー吐出口（１２１ｂ）の中心直線（ＣＬ２）がずれるように第２のワイヤー吐出口（１２１ｂ）が形成され、
第３のワイヤー吐出口（１２１ｃ）からは第１のワイヤー吐出口（１２１ａ）の  中心直線（ＣＬ１）と第３のワイヤー吐出口（１２１ｃ）の中心直線（ＣＬ３）及び第ｎのワイヤー吐出口の中心直線（ＣＬｎ）が同一線上に位置するか、ずれて位置するように形成され、
複数のワイヤー（Ｗ）が埋め込まれて並列パターンで形成されるアンテナ線（ＡＷ）の配列を密にすることで、通信効率性が極大化するようにすることを特徴とする、多重ワイヤーで構成されたアンテナ線形成のためのワイヤー埋め込みヘッド。
【請求項２】
前記多重ワイヤー埋め込みホーン（１２０）に形成された複数のワイヤー吐出口（１２１）は、前記第１のワイヤー吐出口（１２１ａ）を基準として順番に外接して連接するように形成されることを特徴とする、請求項１に記載の多重ワイヤーで構成されたアンテナ線形成のためのワイヤー埋め込みヘッド。
【発明の詳細な説明】
【技術分野】
【０００１】
本発明は、多重ワイヤーで構成されたアンテナ線形成のためのワイヤー埋め込みヘッドに関するものであって、より詳細には、超音波発生部、及び、多重ワイヤー埋め込みホーンによってワイヤーが並列パターンで連結されたアンテナ線で基板に埋め込まれるようにし、基板と、基板に埋め込まれる複数のワイヤーとの間の特徴的な結合関係を用いて、基板に埋め込まれる並列パターンで連結されたアンテナ線の配列が非常に密に形成されるようにする、多重ワイヤーで構成されたアンテナ線形成のためのワイヤー埋め込みヘッドに関するものである。
【背景技術】
【０００２】
最近、無線技術の進化によって電子機器の無線充電技術が発達している。
【０００３】
また、無線機器の発達により近距離無線通信用アンテナの需要が急増しており、これを具現するための送信モジュール（Ｔｘ、Ｔｒａｎｓｍｉｔｔｅｒ）と受信モジュール（Ｒｘ、Ｒｅｃｅｉｖｅｒ）との間、通信の効率向上のための様々な方式のアンテナが開発され適用されている。
【０００４】
その中で、現在の近距離無線通信用アンテナ及び無線充電用アンテナを形成する方法としては、大きく３つの方式に区分される。まず、第一に、ウェットエッチング方式、第二に、銅箔を打ち抜きして打ち抜きされた一定パターンで形成されたアンテナ線を基板上に接着剤を使用して固定して製作する方式、第三に、導体を基板に埋め込んで（ｅｍｂｅｄｄｉｎｇ）、一定パターンのアンテナ線が形成されるように製作する方式に区分される。
【０００５】
この際、ウェットエッチング方式は、強い酸性化学物質で構成しようとするアンテナ線を除いた部分を腐食させて、アンテナ線が形成されるようにするため、初期コストが過度に高いだけでなく、強い酸性化学物質が使用されるので、環境公害を誘発させ、これを中和するためには、別途の公害防止施設及びシステムの設置が必要である。
【０００６】
一方、ウェットエッチング方式と、アンテナ線が形成される形状は類似しているが、ウェットエッチング方式の短所を補完した銅箔打ち抜きでアンテナ線を製作する方式は、化学物質を使用せずに、機械的方式でアンテナ線が生成されるようにする。
【０００７】
従って、ウェットエッチング方式で形成されたアンテナ線と併せて銅箔を打ち抜きする機械的方式で形成されたアンテナ線が、最近多く使用されている。
【０００８】
しかし、ウェットエッチング方式であれ、銅箔を打ち抜きしてアンテナ線を接着する方式であれ、製作過程において、アンテナ線を基板に形成されるようにするためには、接着剤の使用が不可避であるため、基板よりアンテナ線が外されて発生する隙間による不具合などの耐久性の問題だけでなく、無線充電のように送受信アンテナ間の効率性の増大のために、アンテナ線の表面を拡張する、いわゆる積層構造を有していなければならない場合には、段々に塗布される接着剤によって送受信間の効率が低下するなどの通信効率の損失と生産コストが増加するデメリットが生じる。
【０００９】
一方、コイルをアンテナ線の導体で用いて基板に埋め込む（ｅｍｂｅｄｄｉｎｇ）方式は、製作の簡便性と単層で形成されるため、層間の干渉する物質がなく、送受信間の効率を増大することができる長所がある一方、アンテナ線の表面積を広くするためには、それだけコイルの直径が大きく形成されなければならないので、この場合には、逆に、電子機器の小型化には適していない方式に転落してしまう。
【００１０】
従って、垂直積層で構成されるエッチングウェット方式や銅箔を打ち抜きしたアンテナ線のように薄く、かつ表面積を広くするためには、薄いコイルを水平羅列形式である並列で構成するアンテナ線が理想的であり、加えて、接着剤を使用せずにこれを基板に埋め込むことが最適のアンテナ線を形成する方法であると言える。
【００１１】
このためには、多重線が同時に並列パターンで連結されたアンテナ線が形成されるようにする別途の装置が必要である。
【００１２】
多重ワイヤーで構成されたアンテナ線形成のためのワイヤー埋め込みヘッドに関する先行技術であって、図７（ａ）に示されたように、大韓民国公開特許公報特２００２−００８７３２０号の「ＩＣチップ内蔵カードの製造用マルチヘッドワインディング及び埋め込み装置」（以下、「先行技術１」とする）は、少なくとも２枚のカードシートの間にＩＣチップとそのＩＣチップの連結部に端部で連結されるアンテナ線を配置してＩＣチップ内蔵カードを製造するために多数のカードシートが配列されたパターンシート状の各カードシートにＩＣチップをマウンティングし、そのＩＣチップがマウンティングされたパターンシートの各カードシートにそのＩＣチップの連結部位を各端部が通過して所定のパターンでアンテナ線を形成するように超音波を用いてワイヤーを上記パターンシートの各カードシートにワインディングして埋め込むＩＣチップ内蔵カードの製造用ワインディング及び埋め込み装置において、上記超音波を５０［ｋＨｚ］以上の周波数で発生させる超音波発生装置を各々有する少なくとも２以上のワインディング及び埋め込みヘッドがその中心軸のピッチを６０［ｍｍ］以下として設置された、超音波振動子の振動数をさらに高周波としながら埋め込まれるアンテナ線の埋め込み品質を良好にすることができ、マルチヘッドを設置することができるので生産性を増大させ得るＩＣチップ内蔵カードの製造用マルチヘッドワインディング及び埋め込み装置に関するものである。
【００１３】
他の先行技術では、図７（ｂ）に示されたように、大韓民国公開特許公報第１０−２０１３−０１０８０６８号の「ＲＦＩＤインレイの製造」（以下、「先行技術２」とする）は、アンテナ基板上に、または、キャリア基板上の接着層内にワイヤー、薄膜、または、導電性物質が巻かれている形態のアンテナ構造体を形成し、このアンテナ構造体をインレイ基板上の対応するトランスポンダー区域に一つずつまたは一度に複数個を転写し、トランスポンダー区域にあるＲＦＩＤチップモジュールの端子領域と、ここに整列されたアンテナ構造体の連結端を連結するアンテナ基板上の多数のアンテナ区域に多数のアンテナ構造体を形成する過程と、上記アンテナ構造体を、上記トランスポンダー区域のうち選択された一つで転写する過程を含むＲＦＩＤインレイの製造方法に関するものである。
【００１４】
しかし、検討したように、先行技術１ないし先行技術２は、アンテナ線を基板に埋め込む装置及びＲＦＩＤのインレイの製造方法に関するもので、本発明とは技術分野が類似しているかもしれないが、技術的特徴、すなわち、構成、目的、これによって奏される効果が異なる。
【００１５】
一方、先行技術１には、超音波を用いて、基板にアンテナ線を埋め込む埋め込みヘッドが構成されており、全体的な技術的概念においては、本発明と多少同一であり得るが、上述したように、技術的特徴、すなわち、構成、目的及び効果が異なっており、先行技術１ないし先行技術２を含む従来技術は、共通的に本発明が解決しようとする課題が解決できない問題点、すなわち、並列パターンで連結されて形成されるアンテナ線のワイヤー間の稠密性が解決できない技術的限界がある。
【先行技術文献】
【特許文献】
【００１６】
【特許文献１】大韓民国公開特許公報特２００２−００８７３２０号
【特許文献２】大韓民国公開特許公報第１０−２０１３−０１０８０６８号
【発明の概要】
【発明が解決しようとする課題】
【００１７】
本発明は、上述した従来の問題点を解決するために案出されたものであって、複数のワイヤーを超音波の特定周波数で基板に埋め込んでアンテナ線を形成するようにするヘッドハウジングを提供することに目的がある。本発明の他の目的は、超音波による振動を用いて、ワイヤーを基板に埋め込みつつ、複数のワイヤーが並列パターンで連結されたアンテナ線が形成されるようにすることに目的がある。また、複数のワイヤーが並列パターンで連結されて形成されたアンテナ線を提供するが、複数のワイヤーが特定配列によって吐出されるようにして並列パターンで形成されるアンテナ線の配列を密にすることで、通信効率性を高めることにその目的がある。
【課題を解決するための手段】
【００１８】
上記目的をなすための本発明は、解決しようとする課題を達成するために案出されたものであって、多重ワイヤーで構成されたアンテナ線形成のためのワイヤー埋め込みヘッドにおいて、スプールに巻き取られたワイヤーが投入されて、基板に定められた特定位置にアンテナ線が形成されるようにワイヤーを埋め込むヘッドハウジング；前記ヘッドハウジングの一側に形成されて３０［ｋＨｚ］〜６０［ｋＨｚ］の振動を発生させ、ワイヤーが基板に定められた特定位置に埋め込まれて、アンテナ線を形成するように、ワイヤーの埋め込みの際、基板の特定位置を溶融させる超音波発生部；並列パターンで連結されたアンテナ線が形成されるように、複数のワイヤーが同時に吐出され基板に埋め込まれるようにする特定配列からなる複数のワイヤー吐出口が形成された多重ワイヤー埋め込みホーン；を備え、多重ワイヤー埋め込みホーンにワイヤー吐出口が２［個］以上形成される時には、第１のワイヤー吐出口を基準として第１のワイヤー吐出口の中心直線と第２のワイヤー吐出口の中心直線がずれるように第２のワイヤー吐出口が形成され、第３のワイヤー吐出口からは、第１のワイヤー吐出口の中心直線と第３のワイヤー吐出口の中心直線及び第ｎのワイヤー吐出口の中心直線が同一線上に位置するか、ずれて位置するように形成され、複数のワイヤーが埋め込まれて並列パターンで形成されるアンテナ線の配列を非常に密にすることで、通信効率性が極大化させることを特徴とする。
【００１９】
この際、多重ワイヤー埋め込みホーンに形成された複数のワイヤー吐出口は、第１のワイヤー吐出口を基準として順番に外接して連接するように形成され得る。
【００２０】
一方、これに先立ち、本明細書は、特許登録の請求の範囲に使用された用語や単語は通常的であるか、辞典的な意味に限定して解釈されてはならず、発明者は、自分の発明を最善の方法として説明するために、用語の概念を適切に定義することができる原則に立脚して、本発明の技術的思想に符合する意味と概念として解釈されなければならない。
【００２１】
従って、本明細書に記載された実施例と図面に示された構成は、本発明の最も好ましい一実施例に過ぎず、本発明の技術的思想を全て代弁するものではないので、本出願時点においてこれらを代替することができる様々な均等物と変形例があり得ることを理解しなければならない。
【発明の効果】
【００２２】
以上の構成及び作用で上記説明したように本発明によると、複数のワイヤーを超音波の特定周波数で基板に埋め込んでアンテナ線を形成するようにするヘッドハウジングを提供する。また、超音波発生部によって発生する超音波による振動を用いて、多重ワイヤー埋め込みホーンから吐出されるワイヤーを基板に埋め込ませるが、複数のワイヤーが並列パターンで連結されたアンテナ線が形成されるようにして通信効率性を高める。この際、複数のワイヤーが並列パターンで連結されてアンテナ線が形成されるようにするが、複数のワイヤーが特定配列で形成された複数のワイヤー吐出口から吐出され、並列パターンで形成されるアンテナ線の配列を密にすることで、通信効率性を極大化させる。また、アンテナ線の通信効率性を向上させるために、ワイヤーの直径を任意に大きくするか、ワイヤーを積層した積層構造を形成しなくても良いので、時代の流れに適した未来志向的な技術であると同時に、電子機器の小型化に必要な技術として、通信効率性に優れている並列パターンで連結されたアンテナ線が形成されるようにする非常に効果的な発明であると言える。
【図面の簡単な説明】
【００２３】
【図１】本発明である多重ワイヤーで構成されたアンテナ線形成のためのワイヤー埋め込みヘッドに関する構成図を示したものである。
【図２】本発明である多重ワイヤーで構成されたアンテナ線形成のためのワイヤー埋め込みヘッドに関する概略図を示したものである。
【図３】本発明である多重ワイヤーで構成されたアンテナ線形成のためのワイヤー埋め込みヘッドの構成要素のうち、多重ワイヤー埋め込みホーンに関する底面断面図を実施例として示したものである。
【図４】本発明である多重ワイヤーで構成されたアンテナ線形成のためのワイヤー埋め込みヘッドの構成要素のうち、複数のワイヤー吐出口が特定配列で形成された多重ワイヤー埋め込みホーンにより基板に複数のワイヤーが埋め込まれる際に発生する効果を実施例として示したものである。
【図５】本発明である多重ワイヤーで構成されたアンテナ線形成のためのワイヤー埋め込みヘッドにより完成した基板に埋め込まれたアンテナ線を実施例として示したものである。
【図６】本発明である多重ワイヤーで構成されたアンテナ線形成のためのワイヤー埋め込みヘッドの構成要素のうち、複数のワイヤー吐出口に生成される中心直線を説明するための実施例を示したものである。
【図７】本発明である多重ワイヤーで構成されたアンテナ線形成のためのワイヤー埋め込みヘッドに関する先行技術の代表図を示したものである。
【発明を実施するための形態】
【００２４】
以下、添付された図面を参照して本発明である多重ワイヤーで構成されたアンテナ線形成のためのワイヤー埋め込みヘッドに関する機能、構成、及び、作用を詳細に説明する。
【００２５】
図１は、本発明である多重ワイヤーで構成されたアンテナ線形成のためのワイヤー埋め込みヘッドに関する構成図を示したものであり、図２は、本発明である多重ワイヤーで構成されたアンテナ線形成のためのワイヤー埋め込みヘッドに関する概略図を、図３は、本発明である多重ワイヤーで構成されたアンテナ線形成のためのワイヤー埋め込みヘッドの構成要素のうち、多重ワイヤー埋め込みホーンに関する底面断面図を実施例として示したものである。
【００２６】
図１〜図３に示されたように、本発明は、多重ワイヤーで構成されたアンテナ線形成のためのワイヤー埋め込みヘッド１において、スプールＳに巻き取られたワイヤーＷが投入されて基板Ｂに定められた特定位置に  アンテナ線ＡＷが形成されるようにワイヤーＷを埋め込むヘッドハウジング１００；  上記ヘッドハウジング１００の一側に形成されて３０［ｋＨｚ］〜６０［ｋＨｚ］の振動を発生させ、ワイヤーＷが基板Ｂに定められた特定位置に埋め込まれてアンテナ線ＡＷを形成するように、ワイヤーＷの埋め込みの際、基板Ｂの特定位置を溶融させる超音波発生部１１０；並列パターンで連結されたアンテナ線ＡＷが形成されるように、複数のワイヤーＷが同時に吐出されて基板Ｂに埋め込まれるようにする特定配列でなされた複数のワイヤー吐出口１２１が形成された多重ワイヤー埋め込みホーン１２０；で構成されるが、多重ワイヤー埋め込みホーン１２０にワイヤー吐出口１２１が２［個］以上形成される時には、第１のワイヤー吐出口１２１ａを基準として第１のワイヤー吐出口１２１ａの中心直線ＣＬ１と第２のワイヤー吐出口１２１ｂの中心直線ＣＬ２がずれるように第２のワイヤー吐出口１２１ｂが形成され、第３のワイヤー吐出口１２１ｃからは第１のワイヤー吐出口１２１ａの中心直線ＣＬ１と第３のワイヤー吐出口１２１ｃの中心直線ＣＬ３及び第ｎのワイヤー吐出口の中心直線ＣＬｎが同一線上に位置するか、ずれて位置するように形成され、複数のワイヤーＷが埋め込まれて並列パターンで形成されるアンテナ線ＡＷの配列を密にすることで、通信効率性が極大化するようにすることを特徴とする。
【００２７】
すなわち、本発明は、図４（ｂ）に示されたように、多重ワイヤー埋め込みホーン１２０に特定配列で構成される複数のワイヤー吐出口１２１から吐出される複数のワイヤーＷが基板Ｂに埋め込まれる時、第１のワイヤー吐出口１２１ａから吐出されて基板Ｂに埋め込まれる第１のワイヤー１２１ａＷ、第２のワイヤー吐出口１２１ｂから吐出されて基板Ｂに埋め込まれる第２のワイヤー１２１ｂＷ、第３のワイヤー吐出口１２１ｃから吐出されて基板Ｂに埋め込まれる第３のワイヤー１２１ｃＷ、第４のワイヤー吐出口１２１ｄから吐出されて基板Ｂに埋め込まれる第４のワイヤー１２１ｄＷとの間の間隙Ｇが生成されないか最小化された、基板Ｂに複数のワイヤーＷが並列パターンで連結されたアンテナ線ＡＷが形成されるようにすることで、通信効率性を極大化させるインレイ（Ｉｎｌａｙ）製造技術に必要なヘッドハウジング１００を提供するものである。
【００２８】
図４（ａ）は、本発明の効果を説明するために、図４（ｂ）と対比されるようにした比較実施例であって、本発明のような方法で複数のワイヤー吐出口Ｎ１、Ｎ２、Ｎ３、Ｎ４からなる仮想の多重ワイヤー埋め込みホーンＥが構成されたとしても、一面では、本発明のように並列パターンで連結されたアンテナ線ＡＷが形成されることはできるが、多重ワイヤー埋め込みホーン１２０に構成される複数のワイヤー吐出口１２１に対する特定配列なしでは、基板Ｂに複数のワイヤーＮ１Ｗ、Ｎ２Ｗ、Ｎ３Ｗ、Ｎ４Ｗが埋め込まれながら、必ず一定間隔の間隙Ｇが生成されるので、本発明とは通信効率性に対する効果において明らかな差異が発生する。
【００２９】
すなわち、本発明は、超音波発生部１１０によって溶融される基板Ｂの特定位置が柔軟に（ｆｌｅｘｉｂｌｅ）変化するという性質と複数のワイヤーＷが基板Ｂに埋め込まれる時に発生する複数のワイヤーＷとの間の結合関係に対する特性を利用、基板Ｂに埋め込まれる複数のワイヤーＷとの間の間隙Ｇがない並列パターンで連結されたアンテナ線ＡＷが形成されるようにして、ワイヤーＷを積層しなくても表面積を広く生成させ、電流の流れを多くすることで通信効率性を極大化するものである。
【００３０】
この際、上記複数のワイヤーＷとの間の結合関係に対する特性ということは、簡略に説明すると、超音波発生部１１０によって柔軟に変化した基板Ｂが、特定位置に複数のワイヤーＷが吐出されて埋め込まれると、結局、図４（ａ）に示されたように、いくら間隙なく一列に外接された複数のワイヤー吐出口Ｎ１、Ｎ２、Ｎ３、Ｎ４であったとしても、複数のワイヤーＮ１Ｗ、Ｎ２Ｗ、Ｎ３Ｗ、Ｎ４Ｗが基板Ｂに埋め込まれる時には必ず一定間隔の間隙Ｇが生成されるという特性を意味する。
【００３１】
従って、本発明は、複数のワイヤーＷが結合される時に、一定間隔の間隙Ｇが生成されるという複数のワイヤーＷとの間の結合関係に対する問題点を解決しようと、図３に示されたように、多重ワイヤー埋め込みホーン１２０に形成された複数のワイヤー吐出口１２１が、第１のワイヤー吐出口１２１ａを基準として順番に特定配列に外接して連接するように形成されるようにすることを特徴とする。
【００３２】
図６は、多重ワイヤー埋め込みホーン１２０に形成された複数のワイヤー吐出口１２１に各々生成される中心直線ＣＬ１、ＣＬ２、ＣＬ３、…、ＣＬｎを説明しようとするものであり、図６（ａ）は、複数のワイヤー吐出口１２１に各々生成される中心直線ＣＬ１、ＣＬ２、ＣＬ３、…、ＣＬｎが基板Ｂに対して平行な水平線であるということを示したものであり、図６（ｂ）は、複数のワイヤー吐出口１２１に各々生成される中心直線ＣＬ１、ＣＬ２、ＣＬ３、…、ＣＬｎが第１のワイヤー吐出口１２１ａを基準として第１のワイヤー吐出口１２１ａに生成される中心直線ＣＬ１と第２のワイヤー吐出口１２１ｂに生成される中心直線ＣＬ２、第３のワイヤー吐出口１２１ｃに生成される中心直線ＣＬ３、第４のワイヤー吐出口１２１ｄに生成される中心直線ＣＬ４の関係を示したものである。
【００３３】
すなわち、第１のワイヤー吐出口１２１ａの中心直線ＣＬ１〜第４のワイヤー吐出口１２１ｄの中心直線ＣＬ４の中心直線ＣＬ１、ＣＬ２、ＣＬ３、…、ＣＬｎということは、ワイヤー吐出口１２１の中心を通る基板Ｂに対して平行な直線のことを意味し、この際、「ｎ」は、多重ワイヤー埋め込みホーン１２０に形成される複数のワイヤー吐出口１２１に対する形成個数を意味する。また、「ずれた」とは、各々の中心直線ＣＬ１、ＣＬ２、ＣＬ３、…、ＣＬｎが同一線上に位置しないことを意味する。
【００３４】
すなわち、図６（ａ）は、多重ワイヤー埋め込みホーン１２０と基板Ｂの正面図を示したものであって、示されたように、複数のワイヤー吐出口１２１に各々形成される中心直線ＣＬ１、ＣＬ２、ＣＬ３、…、ＣＬｎは、基板Ｂと平行な水平線でなされるべきであり、図６（ｂ）は、多重ワイヤー埋め込みホーン１２０の底面断面図を示したものであって、複数のワイヤー吐出口１２１が形成され生成された各々の中心直線ＣＬ１、ＣＬ２、ＣＬ３、…、ＣＬｎを示したものである。
【００３５】
この際、図６（ｂ）に示された第１のワイヤー吐出口１２１ａに生成される中心直線ＣＬ１と第３のワイヤー吐出口１２１ｃに生成される中心直線ＣＬ３、第２のワイヤー吐出口１２１ｂに生成される中心直線ＣＬ２と第４のワイヤー吐出口１２１ｄに生成される中心直線ＣＬ４は同一線上に位置したものであり、本発明の説明によって、第１のワイヤー吐出口１２１ａの中心直線ＣＬ１と第２のワイヤー吐出口１２１ｂの中心直線ＣＬ２がずれて位置したものである。
【００３６】
まとめて、本発明は、従来の全般的なパッチアンテナ（ｐａｔｃｈ  ａｎｔｅｎｎａ）の構造上、高い電力信号を取り扱うことができなかった問題点を解決して、通信効率性を向上させるアンテナ線ＡＷを提供するためのものであり、これを解決するために、超音波発生部１１０を介して発生する振動で基板Ｂの特定位置に熱を発生させて基板Ｂを溶融させ、溶融部に一定の圧力を加えて、アンテナ線ＡＷを基板Ｂに埋め込まれるが、複数のワイヤーＷで形成される並列パターンで連結されたワイヤーＷとの間の間隙Ｇがないアンテナ線ＡＷが生成されるようにするものである。
【００３７】
この際、複数のワイヤーＷを同時に埋め込む理由は、無線充電の効率は送信モジュール（Ｔｘ、Ｔｒａｎｓｍｉｔｔｅｒ）と受信モジュール（Ｒｘ、Ｒｅｃｅｉｖｅｒ）との間のマッチングと受信モジュール（Ｒｘ、Ｒｅｃｅｉｖｅｒ）に発生した電流の流れが充電効率に絶対的に重要であるためだが、これは、すぐに、アンテナ線ＡＷの広い表面積を確保して、電子の自由な移動を通じて高速通信及び通信効率が向上されるようにするためである。（電流の流れは、導体、すなわち、複数のワイヤーＷで形成されたアンテナ線ＡＷの表面積に比例する。）
【００３８】
すなわち、送信モジュール（Ｔｘ、Ｔｒａｎｓｍｉｔｔｅｒ）から発生した磁場を受けた受信モジュール（Ｒｘ、Ｒｅｃｅｉｖｅｒ）は、磁場共鳴（Ｒｅｓｏｎａｎｃｅ）または磁気誘導（Ｉｎｄｕｃｔａｎｃｅ）によって電気を発生させるが、この際に発生した電流は、導体（アンテナ線ＡＷ）の表面に沿って流れるようになる。
【００３９】
従って、受信モジュール（Ｒｘ、Ｒｅｃｅｉｖｅｒ）のアンテナ線ＡＷの役割が発生した電流の損失が最も少ない方式で電流を集めて伝達するものであるので、導体（アンテナ線ＡＷ）の純度と表面積と密接な関係を有し、これは、すぐに、導体（アンテナ線ＡＷ）の表面積が広いほど伝達力が向上するということなので、電子機器の小型化に応じて、導体（アンテナ線ＡＷ）が形成されるための限られた厚さで導体（アンテナ線ＡＷ）の表面積を広くするためには、複数本のコイル（ワイヤーＷ）を並列パターンで構成するのが最も好ましいものである。
【００４０】
ゆえに、本発明は、並列パターンで連結されたアンテナ線ＡＷの配列を密にして表面積を広くするとともに、純度の高いコイル（ワイヤーＷ）の使用を可能にすることで、基板Ｂに形成されるアンテナ線ＡＷの充電及び通信効率性を極大化させる技術であると言える。  
【００４１】
参考までに、本発明の技術からなる複数のワイヤーＷで形成される並列パターンで連結されたワイヤーＷとの間の間隙Ｇの粗密さとは、具体的に間隙Ｇの範囲が０〜５［ｕｍ］以内で複数のワイヤーＷが並列パターンで形成されることをいう。
【００４２】
また、本発明は、多重ワイヤー埋め込みホーン１２０に４［個］のワイヤー吐出口１２１が形成されたことを実施例で説明したものであり、上述したように、ワイヤー吐出口１２１は、２［個］以上、複数個で形成され得る。
【００４３】
また、本発明の技術を説明することにおいて使用された「多重ワイヤー」と「複数のワイヤー」はその意味が同一であり、各々説明の流れに沿って混用されて使用されたものである。
【００４４】
以上のように、本発明は、記載された実施例に限定されるものではなく、本発明の思想及び範囲を外れることなく、多様に修正及び変形できることは、この技術分野における通常の知識を有する者に自明である。
【００４５】
従って、技術的思想または主要な特徴から外れることなく、他の様々な形で実施できるので、本発明の実施例はいずれの点において単純な例示に過ぎず、限定的に解釈されてはならず、多様に変形して実施することができる。
【産業上の利用可能性】
【００４６】
本発明は、多重ワイヤーで構成されたアンテナ線形成のためのワイヤー埋め込みヘッドに関するものであって、これを製作する製作業及び販売業、さらに細部的には、電子パスポート、電子住民証のような非接触式チップが内蔵された身分証明書用のインレイ及び携帯電話のような電子機器に内蔵されるＮＦＣ認識用アンテナを形成するのに適用され、延いては、これを含む無線充電機器の受信モジュールアンテナが必要な様々な電子機器産業分野の発展に寄与するのに適用することができる。
【符号の説明】
【００４７】
１：多重ワイヤーで構成されたアンテナ線形成のためのワイヤー埋め込みヘッド  
２：ワイヤー埋め込み装置  
１００：ヘッドハウジング  
１１０：超音波発生部  
１２０：多重ワイヤー埋め込みホーン  
１２１：ワイヤー吐出口  
１２１ａ：第１のワイヤー吐出口  
１２１ｂ：第２のワイヤー吐出口  
１２１ｃ：第３のワイヤー吐出口  
１２１ｄ：第４のワイヤー吐出口  
１２１ａＷ：第１のワイヤー  
１２１ｂＷ：第２のワイヤー  
１２１ｃＷ：第３のワイヤー  
１２１ｄＷ：第４のワイヤー  
Ｂ：基板  
Ｅ：仮想の多重ワイヤー埋め込みホーン  
Ｇ：間隙  
Ｓ：スプール  
Ｗ：ワイヤー  
ＡＷ：アンテナ線  
ＣＬ１、ＣＬ２、ＣＬ３、ＣＬ４、ＣＬｎ：中心直線  
Ｎ１、Ｎ２、Ｎ３、Ｎ４：仮想のワイヤー吐出口  
Ｎ１Ｗ、Ｎ２Ｗ、Ｎ３Ｗ、Ｎ４Ｗ：仮想のワイヤー
【図１】
2021505093.tif 000003
【図２】
2021505093.tif 000004
【図３】
2021505093.tif 000005
【図４】
2021505093.tif 000006
【図５】
2021505093.tif 000007
【図６】
2021505093.tif 000008
【図７】
2021505093.tif 000009
【国際調査報告】
2021505093.tif 000010
2021505093.tif 000011
2021505093.tif 000012
2021505093.tif 000013